(57)【要約】  【課題】  被写体の撮影開始タイミング又は撮影終了タイミングを撮影装置に的確に通知することができるトリガ信号発生装置及びこれを用いて被写体を撮影する撮影装置を提供すること。  【解決手段】  撮影装置１０は、被写体が高速度で一瞬変化する現象を検出してトリガ信号を発生するトリガ発生装置２０と、被写体の映像信号を処理する高速度撮影装置３０と、映像を表示する映像表示装置４０とを備え、トリガ発生装置２０は、被写体からの入射光を集光するレンズ２１と、集光された入射光を青色光２２ａ、赤色光２３ａ及び緑色光２４ａに分光する色分解プリズム２５と、赤色光２３ａの光量を検出するフォトセンサ２６と、トリガ信号を発生するトリガ発生回路２７と、緑色光２４ａを受光して被写体を撮影するＣＣＤ２８とを備える。【選択図】  図１
2005328168.tif 000002
【特許請求の範囲】
【請求項１】
入射された光を分光する分光手段と、前記分光手段によって分光された少なくとも１つの光の光量を検出する光量検出手段と、前記光量に基づいてトリガ信号を発生するトリガ信号発生手段とを備えたことを特徴とするトリガ信号発生装置。
【請求項２】
前記光量検出手段は、フォトセンサであることを特徴とする請求項１に記載のトリガ信号発生装置。
【請求項３】
前記分光手段は、前記光を複数色の光に分解する色分解プリズムであることを特徴とする請求項１又は請求項２に記載のトリガ信号発生装置。
【請求項４】
前記分光手段は、前記光を分散させるプリズムであることを特徴とする請求項１又は請求項２に記載のトリガ信号発生装置。
【請求項５】
前記分光手段は、前記光を透過光及び反射光に分光するハーフミラーであることを特徴とする請求項１又は請求項２に記載のトリガ信号発生装置。
【請求項６】
請求項１から請求項５までのいずれか１項に記載のトリガ信号発生装置と、このトリガ信号発生装置から出力されるトリガ信号によって撮影を開始するか又は撮影を終了する撮影手段とを備えたことを特徴とする撮影装置。
【発明の詳細な説明】
【技術分野】
【０００１】
本発明は、被写体が高速度で一瞬変化する現象を検出してトリガ信号を発生するトリガ信号発生装置及びこれを用いて被写体を撮影する撮影装置に関する。
【背景技術】
【０００２】
従来のトリガ信号発生装置は、被写体の方向に指向性を有する集音マイクと、集音マイクが感知した音をトリガ信号に変換する音検出装置とを備え、被写体の一瞬の動きによって生じる音波を受信したときにトリガ信号を発生することにより、被写体の撮影開始タイミングを撮影装置に通知することができるようになっている（例えば、特許文献１参照。）。
【特許文献１】特開平８−２６５６１６号公報（第３−４頁、第１図）
【発明の開示】
【発明が解決しようとする課題】
【０００３】
しかしながら、このような従来のトリガ信号発生装置では、音波を利用してトリガ信号を発生しているので、被写体から集音マイクまでの距離が長い条件下で被写体の一瞬の動きを撮影したい場合は、被写体からの音波が集音マイクに届くまでに所定の時間を要するので、音検出装置が発生したトリガ信号が撮影装置に届く前に被写体の一瞬の動きが終了してしまい、被写体の撮影開始タイミングを撮影装置に的確に通知することができないという問題があった。
【０００４】
具体的には、毎秒８０００コマの撮影速度で、被写体が動き始めてから１００コマ撮影する場合を例に挙げると、この場合の撮影時間は１２．５ミリ秒である。一方、例えば温度２５℃、標高０ｍ、気圧１０１３Ｈｐの環境条件において、被写体と集音マイクとが６ｍ離れている場合は音波の伝播時間は１７．３ミリ秒となり撮影時間よりも長くなるので、トリガ信号が撮影装置に届いたときには被写体が動き始めてから１００コマ撮影することができない状態になっている。
【０００５】
この問題を回避するには、音波の伝播時間を短縮するよう被写体と集音マイクとを近づければよいが、例えばスポーツ競技の撮影のように撮影距離が制限される場合は、被写体と集音マイクとを近づけることができないので、従来のトリガ信号発生装置では、被写体の撮影開始タイミングを撮影装置に的確に通知することができないという問題があった。
【０００６】
本発明は、このような問題を解決するためになされたものであり、被写体が遠方にある場合でも、被写体の撮影開始タイミング又は撮影終了タイミングを撮影装置に的確に通知することができるトリガ信号発生装置を提供するものである。
【課題を解決するための手段】
【０００７】
本発明のトリガ信号発生装置は、入射された光を分光する分光手段と、前記分光手段によって分光された少なくとも１つの光の光量を検出する光量検出手段と、前記光量に基づいてトリガ信号を発生するトリガ信号発生手段とを備えたことを特徴とする構成を有している。
【０００８】
この構成により、本発明のトリガ信号発生装置は、トリガ信号発生手段が、分光手段によって分光された少なくとも１つの光の光量に基づいてトリガ信号を発生するので、被写体が遠方にある場合でも、被写体の撮影開始タイミング又は撮影終了タイミングを撮影装置に的確に通知することができる。
【０００９】
また、本発明のトリガ信号発生装置は、前記光量検出手段は、フォトセンサであることを特徴とする構成を有している。
【００１０】
この構成により、本発明のトリガ信号発生装置は、分光手段から射出される光の光量に応じた適切な個数のフォトセンサで光量を検出し、光量に基づいてトリガ信号を発生することができるので、被写体が遠方にある場合でも、被写体の撮影開始タイミングを撮影装置に的確に通知することができる。
【００１１】
さらに、本発明のトリガ信号発生装置は、前記分光手段は、前記光を複数色の光に分解する色分解プリズムであることを特徴とする構成を有している。
【００１２】
この構成により、本発明のトリガ信号発生装置は、入射された光を色分解プリズムが分光するので、色分解プリズムによって分光された光の光量に基づいてトリガ信号を発生することができる。
【００１３】
さらに、本発明のトリガ信号発生装置は、前記分光手段は、前記光を分散させるプリズムであることを特徴とする構成を有している。
【００１４】
この構成により、本発明のトリガ信号発生装置は、入射された光をプリズムが分光するので、プリズムによって分光された光の光量に基づいてトリガ信号を発生することができる。
【００１５】
さらに、本発明のトリガ信号発生装置は、前記分光手段は、前記光を透過光及び反射光に分光するハーフミラーであることを特徴とする構成を有している。
【００１６】
この構成により、本発明のトリガ信号発生装置は、入射された光をハーフミラーが分光するので、ハーフミラーによって分光された光の光量に基づいてトリガ信号を発生することができる。
【００１７】
本発明の撮影装置は、トリガ信号発生装置と、このトリガ信号発生装置から出力されるトリガ信号によって撮影を開始するか又は撮影を終了する撮影手段とを備えたことを特徴とする構成を有している。
【００１８】
この構成により、トリガ信号発生装置は、分光手段によって分光された少なくとも１つの光の光量に基づいてトリガ信号を発生させ、トリガ信号発生装置とは異なる地点に設置された高速度撮影装置は、被写体が遠方にある場合でも、被写体の撮影開始タイミング又は撮影終了タイミングを取得して被写体が高速度で一瞬変化する現象を確実に撮影することができる。
【発明の効果】
【００１９】
本発明は、被写体の撮影開始タイミング又は撮影終了タイミングを撮影装置に的確に通知することができるという効果を有するトリガ信号発生装置及びトリガ信号によって被写体の撮影を開始するか又は終了する撮影装置を提供することができるものである。
【発明を実施するための最良の形態】
【００２０】
以下、本発明の実施の形態について説明する。
【００２１】
（第１の実施の形態）
まず、本発明の第１の実施の形態の撮影装置の構成について説明する。
【００２２】
図１に示すように、本実施の形態の撮影装置１０は、被写体が高速度で一瞬変化する現象（以下「高速度現象」という。）を検出してトリガ信号を発生するトリガ発生装置２０と、トリガ信号によって撮影を開始する高速度撮影装置３０と、この撮影された映像を表示する映像表示装置４０と、ビューファインダとして被写体を視認できる映像表示装置６０とを備えている。
【００２３】
トリガ発生装置２０は、図示しない被写体からの入射光を集光するレンズ２１と、集光された入射光を青色光２２ａ、赤色光２３ａ及び緑色光２４ａに分光する分光手段としての色分解プリズム２５と、赤色光２３ａの光量を検出する光量検出手段としてのフォトセンサ２６と、トリガ信号を発生するトリガ発生回路２７と、緑色光２４ａを受光して被写体を撮影する撮影手段としてのＣＣＤ（Ｃｈａｒｇｅ  Ｃｏｕｐｌｅｄ  Ｄｅｖｉｃｅ：電荷結合素子）２８とを備えている。
【００２４】
色分解プリズム２５は、第１プリズム２２、第２プリズム２３及び第３プリズム２４の３つのプリズムで構成されている。なお、図１においては、構成をわかりやすくするため色分解プリズム２５を３つのプリズムに分離して図示しているが、３つのプリズムは、例えば接着剤によって一体化されている。
【００２５】
第１プリズム２２は、被写体の光を入射する入射面２２ｂと、入射面２２ｂに入射された入射光のうち青色光２２ａを反射する反射膜が形成された反射面２２ｃと、青色光２２ａを射出する射出面２２ｄとを備えている。
【００２６】
第２プリズム２３は、青色光２２ａ以外の光を入射する入射面２３ｂと、入射面２３ｂに入射された入射光のうち赤色光２３ａを反射する反射膜が形成された反射面２３ｃと、赤色光２３ａを射出する射出面２３ｄとを備えている。
【００２７】
第３プリズム２４は、青色光２２ａ及び赤色光２３ａ以外の光を入射する入射面２４ｂと、緑色光２４ａを射出する射出面２４ｃとを備えている。
【００２８】
フォトセンサ２６の受光面２６ａは、第２プリズム２３の射出面２３ｄに対向して設置され、被写体の像が受光面２６ａに結像するよう射出面２３ｄから受光面２６ａまでの距離が調整されるようになっており、フォトセンサ２６は、入力された光の光量に応じたレベルの信号を出力するようになっている。
【００２９】
トリガ発生回路２７は、トリガ信号発生回路、ＣＰＵ、ＲＡＭ、ＲＯＭ等で構成され、フォトセンサ２６から出力された信号のレベルを検出し、信号のレベルが予め定められた範囲外のレベルになったときトリガ信号を発生するようになっている。
【００３０】
ＣＣＤ２８は、第３プリズム２４の射出面２４ｃに対向して設置され、被写体の像を結像するようになっている。なお、図示を省略したが、レンズ２１には被写体の像のピントや画角を調整する機構が取り付けられており、この機構によって決定された被写体の像がＣＣＤ２８に結像するようになっている。
【００３１】
高速度撮影装置３０は、公知の技術（例えば特開２００１−２０３９３７号公報に記載されている技術）を使用した装置であり、トリガ発生装置２０とは別の撮影用光学系（図示省略）を備えたＣＣＤ３１と、このＣＣＤ３１から出力された被写体のアナログ映像信号をデジタル映像信号に変換するＡＤ変換回路３２と、デジタル信号を処理するＤＳＰ（Ｄｉｇｉｔａｌ  Ｓｉｇｎａｌ  Ｐｒｏｃｅｓｓｏｒ）回路３３と、デジタル映像信号をアナログ映像信号に変換するＤＡ変換回路３４と、トリガ発生回路２７によって発生されたトリガ信号に基づいて、ＣＣＤ３１、ＡＤ変換回路３２、ＤＳＰ回路３３及びＤＡ変換回路３４の動作を制御する制御回路３５とを備えている。
【００３２】
制御回路３５は、例えばＣＰＵ、ＲＡＭ、ＲＯＭ等によって構成され、ＣＣＤ３１からのデータの転送処理、アナログ映像信号をデジタル映像信号に変換するＡＤ変換処理、デジタル映像信号を処理して、ＤＳＰ回路３３内のメモリに記憶する記憶処理、メモリからデジタル映像信号を読み出してアナログ映像信号に変換するＤＡ変換処理等を所定のプログラムに従って実行し、高速度撮影装置３０で撮影された映像信号を処理することができるようになっている。
【００３３】
映像表示装置４０は、高速度現象が撮影されてＤＳＰ回路３３のメモリに保存された映像を後で再生してモニタするものである。
【００３４】
映像表示装置６０は、例えば既存のビデオカメラを構成する回路で実現され、高速度現象を発生する被写体の映像を視認するものである。
【００３５】
次に、本実施の形態の撮影装置１０の動作について説明する。
【００３６】
図２において、まず、レンズ２１によって、入射光が集光される（ステップＳ１）。次いで、色分解プリズム２５によって、入射光が青色光２２ａ、赤色光２３ａ及び緑色光２４ａの３つに分解される（ステップＳ２）。そして、ＣＣＤ２８によって、緑色光２４ａが捉えられ被写体像が結像される（ステップＳ３）。
【００３７】
ステップＳ２において分解された赤色光２３ａは、フォトセンサ２６の受光面２６ａによって受光され（ステップＳ４）、赤色光２３ａの光量に応じた電気信号に変換されてトリガ発生回路２７に出力される。
【００３８】
そして、トリガ発生回路２７によって、フォトセンサ２６の出力電圧がモニタされて赤色光２３ａの光量が変化したか否かが閾値に基づいて判断される（ステップＳ５）。ここで、赤色光２３ａの光量が変化したと判断されなかった場合は、ステップＳ４に戻る。
【００３９】
ステップＳ５において、赤色光２３ａの光量が変化したと判断された場合は、トリガ発生回路２７によって、トリガ信号が発生され（ステップＳ６）、このトリガ信号は、高速度撮影装置３０の制御回路３５に出力される。
【００４０】
直ちに、制御回路３５によって、ＣＣＤ３１、ＡＤ変換回路３２、ＤＳＰ回路３３及びＤＡ変換回路３４が制御され、高速度撮影装置３０に実装されたＣＣＤ３１から出力された被写体の映像信号が処理される（ステップＳ７）。そして、高速度撮影装置３０に接続された映像表示装置４０によって、被写体の映像が表示される（ステップＳ８）。
【００４１】
ここで、ステップＳ４〜Ｓ６について、具体例を挙げて詳細に説明する。
【００４２】
図３は、本実施の形態の撮影装置１０によって設定された撮影範囲５１の右側から撮影範囲５１内の壁５２にテニスボール５３が高速で衝突して跳ね返る際の高速度現象を例示したものである。
【００４３】
図３の上段は、時刻Ｔ１〜Ｔ６における撮影範囲５１と、壁５２と、テニスボール５３との位置関係を示している。なお、撮影範囲５１の外側にあるテニスボール５３は二点鎖線で示している。
【００４４】
時刻Ｔ１において、撮影範囲５１の右側から飛来してきたテニスボール５３は、撮影範囲５１に進入する寸前にある。時刻Ｔ２では、テニスボール５３は撮影範囲５１内にあり、時刻Ｔ３でテニスボール５３は壁５２に接した状態にある。
【００４５】
さらに、テニスボール５３は、時刻Ｔ４において壁５２に衝突して最も変形しており、壁５２から跳ね返った後の時刻Ｔ５では元の形状に戻り、時刻Ｔ６で撮影範囲５１から外れている。
【００４６】
次に図３の中段のグラフについて説明する。このグラフは、時間に対するフォトセンサ２６の出力レベル６１と、第１の閾値６２と、第２の閾値６３とを示している。
【００４７】
時刻Ｔ１までは、撮影範囲５１内に静止した壁５２があるだけであり、撮影範囲５１内の輝度は変化しないので、フォトセンサ２６の出力レベル６１は一定である。
【００４８】
しかしながら、時刻Ｔ１を境としてテニスボール５３が撮影範囲５１内に進入することにより撮影範囲５１内の輝度が低下するので、出力レベル６１は低下していく。
【００４９】
そして、テニスボール５３が撮影範囲５１内に完全に入った状態で出力レベル６１は最小値となり、時刻Ｔ２、Ｔ３と出力レベル６１は一定となる。ただし、時刻Ｔ４前後においては、テニスボール５３が壁５２に衝突して変形するので、撮影範囲５１内の輝度が若干増加している。
【００５０】
時刻Ｔ５においては、テニスボール５３の形状が元に戻っており、撮影範囲５１内の輝度は前述の最小値になっている。そして、時刻Ｔ６以降では、テニスボール５３は撮影範囲５１の外になり、撮影範囲５１内の輝度は、時刻Ｔ１以前の値に戻っている。
【００５１】
次に、図３の下段のグラフについて説明する。このグラフは、時間に対するトリガ発生回路２７の出力レベルを示している。
【００５２】
トリガ発生回路２７は、時刻Ｔｓにおいてトリガ信号６４を発生している。この時刻Ｔｓは、中段のグラフに示すように、フォトセンサ２６の出力レベル６１が第１の閾値６２と交差した時刻である。すなわち、トリガ発生回路２７は、フォトセンサ２６の出力レベル６１が第１の閾値６２から第２の閾値６３までの範囲から外れると撮影範囲５１内に高速度現象が発生したと判断してトリガ信号６４を出力する。したがって、撮影装置１０は、時刻Ｔ４前後における高速度現象を確実に撮影することができる。
【００５３】
なお、前述の説明において、撮影範囲５１の輝度が低下する例を挙げて説明したが、撮影範囲５１内の輝度が増加する場合、例えば背景よりも明るい物体が撮影範囲５１内に進入する場合でも、進入前後で撮影範囲５１内の輝度が変化するので、トリガ発生回路２７は、前述と同様にトリガ信号を発生することができる。
【００５４】
また、前述の説明において、撮影範囲５１内の輝度が撮影範囲５１外から飛来したものによって変化する例を挙げて説明したが、撮影範囲５１内の人物や物体等の動きにより撮影範囲５１内の輝度が変化する場合においても前述と同様にトリガ信号を発生することができる。
【００５５】
また、図３において、第１の閾値６２及び第２の閾値６３は、時間に対して変化しない例を挙げたが、第１の閾値６２及び第２の閾値６３を時間と共に動的に変化させる構成としてもよい。この構成により、フォトセンサ２６の出力レベル６１が時間と共に徐々に変化する場合でも、出力レベル６１の変化に合わせた動的な閾値を設定することによって、撮影範囲５１内の輝度が急激な変化をしたときを被写体の高速度現象が発生したときとみなすことができ、撮影装置１０は、高速度現象を確実に撮影することができる。
【００５６】
以上のように、本実施の形態の撮影装置１０によれば、トリガ発生装置２０は、色分解プリズム２５によって被写体からの光を分解し、分解された光を受光したフォトセンサ２６の出力レベルに基づいてトリガ信号を発生する構成としたので、被写体が遠方にある場合でも、被写体の撮影開始タイミングを取得して高速度現象を確実に撮影することができる。
【００５７】
なお、本実施の形態において、１つのフォトセンサ２６を第２プリズム２３の射出面２３ｄに対向して設置する例を挙げて説明したが、本発明はこれに限定されるものではなく、複数のフォトセンサ２６を第２プリズム２３の射出面２３ｄに対向して設置してもよく、また、第１プリズム２２の射出面２２ｄ及び第２プリズム２３の射出面２３ｄにそれぞれ対向した１つ以上のフォトセンサ２６を設ける構成としても同様の効果が得られる。
【００５８】
また、以上の説明はトリガ信号によって撮影を開始する場合であったが、トリガ信号によって撮影を終了する撮影装置も実現できる。この場合は、手動操作によって撮影を開始し、高速度撮影された映像信号がメモリに記憶されてゆく。メモリがすべて使用されたら、旧い方から順に上書きを行ってゆき、終了するまでこれを繰り返す。そして、トリガ信号発生装置からトリガ信号が入力されたら高速度撮影を終了するが、このときメモリに記憶されている映像信号は、トリガ信号が発生するまでのある一定時間の高速度現象を保持していることになる。トリガ信号を撮影開始のタイミング信号として使うか、あるいは撮影終了のタイミング信号として使うかは、被写体の高速度現象の性質を考慮して撮影者が決定する。
【００５９】
（第２の実施の形態）
まず、本発明の第２の実施の形態の撮影装置の構成について説明する。なお、本実施の形態の撮影装置は、本発明の第１の実施の形態の撮影装置１０における色分解プリズム２５を変更したものであり、その他の構成は同様であるので、同様な構成については同一の符号を付して詳細な説明を省略する。
【００６０】
図４に示すように、本実施の形態の撮影装置７０は、被写体の高速度現象を検出してトリガ信号を発生するトリガ発生装置８０と、トリガ信号によって撮影を開始する高速度撮影装置３０と、この撮影された映像を表示する映像表示装置４０と、ビューファインダとして被写体を視認できる映像表示装置６０とを備えている。
【００６１】
トリガ発生装置８０は、分光手段としてのプリズム８１を備えている。なお、図４においては、構成をわかりやすくするためプリズム８１を２つのプリズムに分離して図示しているが、２つのプリズムは、例えば接着剤によって一体化されている。
【００６２】
プリズム８１は、第１プリズム８２及び第２プリズム８３で構成されており、それぞれ、第１の光８２ａ及び第２の光８３ａを出力するようになっている。
【００６３】
第１プリズム８２は、被写体の光を入射する入射面８２ｂと、入射面８２ｂに入射された入射光のうち第１の光８２ａを反射する反射面８２ｃと、第１の光８２ａをフォトセンサ２６に射出する射出面８２ｄとを備えている。
【００６４】
第２プリズム８３は、光を入射する入射面８３ｂと、第２の光８３ａをＣＣＤ２８に射出する射出面８３ｃとを備えている。
【００６５】
次に、本実施の形態の撮影装置７０の動作について説明する。ただし、本発明の第１の実施の形態の撮影装置１０と同様な動作については詳細な説明を省略する。
【００６６】
レンズ２１によって集光された光は、第１プリズム８２に入射され、反射面８２ｃで反射された第１の光８２ａはフォトセンサ２６に射出される。
【００６７】
一方、第１プリズム８２の反射面８２ｃを透過した光は、第２プリズム８３の射出面８３ｃから第２の光８３ａとしてＣＣＤ２８に射出される。
【００６８】
そして、トリガ発生回路２７によって、フォトセンサ２６の出力電圧がモニタされて第１の光８２ａの光量が変化したか否かが閾値に基づいて判断され、第１の光８２ａの光量が変化したと判断された場合は、トリガ信号が発生されて高速度撮影装置３０の制御回路３５に出力される。
【００６９】
以上のように、本実施の形態の撮影装置７０によれば、トリガ発生装置８０は、プリズム８１によって被写体からの光を第１の光８２ａと第２の光８３ａとに分解し、第１の光８２ａを受光したフォトセンサ２６の出力レベルに基づいてトリガ信号を発生する構成としたので、被写体が遠方にある場合でも、被写体の撮影開始タイミングを取得して高速度現象を確実に撮影することができる。また、第１の実施の形態と同様に、トリガ信号を撮影終了タイミングとしても使用できる。
【００７０】
（第３の実施の形態）
まず、本発明の第３の実施の形態の撮影装置の構成について説明する。なお、本実施の形態の撮影装置は、本発明の第１の実施の形態の撮影装置１０における色分解プリズム２５を変更したものであり、その他の構成は同様であるので、同様な構成については同一の符号を付して詳細な説明を省略する。
【００７１】
図５に示すように、本実施の形態の撮影装置９０は、被写体の高速度現象を検出してトリガ信号を発生するトリガ発生装置１００と、トリガ信号によって撮影を開始する高速度撮影装置３０と、この撮影された映像を表示する映像表示装置４０と、ビューファインダとして被写体を視認できる映像表示装置６０とを備えている。
【００７２】
トリガ発生装置１００は、光の透過率と反射率がほぼ等しい鏡で構成された分光手段としてのハーフミラー１０１を備えている。ハーフミラー１０１は、入射光を反射して第１の光１０１ａを射出する反射面１０１ｂと、第２の光１０１ｃを射出する射出面１０１ｄとを備えている。
【００７３】
次に、本実施の形態の撮影装置９０の動作について説明する。ただし、本発明の第１の実施の形態の撮影装置１０と同様な動作については詳細な説明を省略する。
【００７４】
レンズ２１によって集光された光は、ハーフミラー１０１に入射され、反射面１０１ｂで反射された第１の光１０１ａはフォトセンサ２６に射出される。
【００７５】
一方、ハーフミラー１０１を透過して射出面１０１ｄから射出された第２の光１０１ｃは、ＣＣＤ２８に射出される。
【００７６】
そして、トリガ発生回路２７によって、フォトセンサ２６の出力電圧がモニタされて第１の光１０１ａの光量が変化したか否かが閾値に基づいて判断され、第１の光１０１ａの光量が変化したと判断された場合は、トリガ信号が発生されて高速度撮影装置３０の制御回路３５に出力される。
【００７７】
以上のように、本実施の形態の撮影装置９０によれば、トリガ発生装置１００は、ハーフミラー１０１によって被写体からの光を第１の光１０１ａと第２の光１０１ｃとに分解し、第１の光１０１ａを受光したフォトセンサ２６の出力レベルに基づいてトリガ信号を発生する構成としたので、被写体が遠方にある場合でも、被写体の撮影開始タイミングを取得して高速度現象を確実に撮影することができる。また、トリガ信号を撮影終了タイミングとして使用できることは前述の実施の形態と同様である。
【図面の簡単な説明】
【００７８】
【図１】本発明の第１の実施の形態の撮影装置のブロック図
【図２】本発明の第１の実施の形態の撮影装置の各ステップのフローチャート
【図３】本発明の第１の実施の形態の撮影装置による高速度現象の撮影例を示す図
【図４】本発明の第２の実施の形態の撮影装置のブロック図
【図５】本発明の第３の実施の形態の撮影装置のブロック図
【符号の説明】
【００７９】
１０、７０、９０  撮影装置
１０１  ハーフミラー
２０、８０、１００  トリガ発生装置
２１  レンズ
２２、８２  第１プリズム
２２ａ  青色光
２２ｂ、２３ｂ、２４ｂ、８２ｂ、８３ｂ  入射面
２２ｃ、２３ｃ、８２ｃ、１０１ｂ  反射面
２２ｄ、２３ｄ、２４ｃ、８２ｄ、８３ｃ、１０１ｄ  射出面
２３、８３  第２プリズム
２３ａ  赤色光
２４  第３プリズム
２４ａ  緑色光
２５  色分解プリズム
２６  フォトセンサ
２６ａ  受光面
２７  トリガ発生回路
２８  ＣＣＤ
３０  高速度撮影装置
３１  ＣＣＤ
３２  ＡＤ変換回路
３３  ＤＳＰ回路
３４  ＤＡ変換回路
３５  制御回路
４０  映像表示装置
５１  撮影範囲
５２  壁
５３  テニスボール
６０  映像表示装置
６１  出力レベル
６２  第１の閾値
６３  第２の閾値
６４  トリガ信号
８１  プリズム
８２ａ、１０１ａ  第１の光
８３ａ、１０１ｃ  第２の光
【図１】
2005328168.tif 000003
【図２】
2005328168.tif 000004
【図３】
2005328168.tif 000005
【図４】
2005328168.tif 000006
【図５】
2005328168.tif 000007